【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
第１の樹脂含浸紙層、第２の樹脂含浸紙層および第３の樹脂含浸紙層と、
第１の末端および第２の末端を有し前記第１の末端から前記第２の末端に電流を流すことができる第１の導電材料と、
第１の末端および第２の末端を有し前記第１の末端から前記第２の末端に電流を流すことができる第２の導電材料と、
を含む装飾多層表面材であって、
前記第１の導電材料が前記第１の樹脂含浸紙層の第１の表面に配置され、
前記第２の導電材料が前記第１の樹脂含浸紙層の第２の表面に配置され、前記第２の表面が、前記第１の表面の反対の前記第１の樹脂含浸紙層の側であり、
前記第１の導電材料が前記第１の樹脂含浸紙層と前記第２の樹脂含浸紙層との間に封入されるように前記第１の樹脂含浸紙層および前記第２の樹脂含浸紙層が積層されかつ圧縮された関係で配置され、
前記第２の導電材料が前記第１の樹脂含浸紙層と前記第３の樹脂含浸紙層との間に封入されるように前記第１の樹脂含浸紙層および前記第３の樹脂含浸紙層が積層されかつ圧縮された関係で配置され、
前記第１の樹脂含浸紙層、前記第２の樹脂含浸紙層、前記第３の樹脂含浸紙層または任意の追加の樹脂含浸紙層の少なくとも１つが装飾層であり、
前記第１の導電材料が、金属、合金および導電インクからなる群から選択される少なくとも１つの導電材料を含む、装飾多層表面材。
【請求項２】
第１の樹脂含浸紙層および第２の樹脂含浸紙層と、
第１の末端および第２の末端を有し前記第１の末端から前記第２の末端に電流を流すことができる第１の導電材料と、
を含む装飾多層表面材であって、
前記第１の導電材料が前記第１の樹脂含浸紙層の第１の表面に配置され、
前記第１の導電材料が前記第１の樹脂含浸紙層と前記第２の樹脂含浸紙層との間に封入されるように前記第１の樹脂含浸紙層および前記第２の樹脂含浸紙層が積層されかつ圧縮された関係で配置され、
前記第１の樹脂含浸紙層、前記第２の樹脂含浸紙層または任意の追加の樹脂含浸紙層の少なくとも１つが装飾層であり、
前記第１の導電材料が、金属、合金および導電インクからなる群から選択される少なくとも１つの導電材料を含み、
熱硬化性樹脂中に分散された軟磁性材料を含む強化層をさらに含み、前記強化層が前記第１の導電材料と前記第１および第２の樹脂含浸層のうちの１つとの間に配置され硬化される、装飾多層表面材。
【請求項３】
少なくとも１つの外側保護層をさらに含む、請求項１または２に記載の装飾多層表面材。
【請求項４】
前記少なくとも１つの外側保護層が、アクリル、ポリエステル、メラミン樹脂、ビニル樹脂およびウレタンからなる群から選択されるポリマーを含む、請求項３に記載の装飾多層表面材。
【請求項５】
前記少なくとも１つの外側保護層がメラミン樹脂を含む、請求項３に記載の装飾多層表面材。
【請求項６】
前記装飾層が、着色、模様、しるし、絵、埋設物、およびそれらの組合せからなる群から選択される視覚的属性を含む、請求項１または２に記載の装飾多層表面材。
【請求項７】
前記第１の樹脂含浸紙の前記第１の表面に配置された前記第１の導電材料は、パターン化されている、請求項１または２に記載の装飾多層表面材。
【請求項８】
前記パターン化された第１の導電材料が、渦巻線、スパイラングル、のこぎり波、およびそれらの組み合わせからなる群から選択された連続蛇行線を含む、請求項７に記載の装飾多層表面材。
【請求項９】
熱硬化性樹脂中に分散された軟磁性材料を含む強化層をさらに含み、前記強化層が前記第１の導電材料と前記第１および第２の樹脂含浸層のうちの１つとの間に配置され硬化される、請求項１に記載の装飾多層表面材。
【請求項１０】
前記第１の導電材料および前記第２の導電材料が、前記第１の樹脂含浸紙層を介して伝導的に接続される、請求項１に記載の装飾多層表面材。
【請求項１１】
それぞれ前記第１の導電材料の前記第１の末端および前記第２の末端から前記表面材の周縁に沿った２つの位置まで延在し、外部電流を導電性突起に供給できるように構成された第１の導電性突起および第２の導電性突起をさらに含む、請求項１または２に記載の装飾多層表面材。
【請求項１２】
前記第１の樹脂含浸紙層の前記第１の表面に配置され、前記第１の導電材料と伝導的に接触する回路部品をさらに含む、請求項１または２に記載の装飾多層表面材。
【請求項１３】
高圧積層物である、請求項１または２に記載の装飾多層表面材。
【請求項１４】
支持基材に配置された請求項１または２に記載の装飾多層表面材を含む固体表面。
【請求項１５】
エネルギーを無線伝送する方法であって、
（ｉ）請求項１〜１３のいずれか１項に記載の装飾多層表面材を提供するステップと、
（ｉｉ）前記表面材に隣接した領域に電磁場が発生するように前記第１の導電材料に電流を提供するステップと、
（ｉｉｉ）無線エネルギー伝送を受信するように構成された装置を前記表面の近くにおよび前記電磁場内に置くステップと、
を含む方法。
【手続補正２】
【補正対象書類名】明細書
【補正対象項目名】００１７
【補正方法】変更
【補正の内容】
【００１７】
特定の用語が、専ら便宜のために以下の説明において使用されるが、それは限定するものではない。「右（ｒｉｇｈｔ）」、「左（ｌｅｆｔ）」、「下（ｌｏｗｅｒ）」、および「上（ｕｐｐｅｒ）」という言葉は、参照される図面における方向を示す。「内向きに（ｉｎｗａｒｄｌｙ）」および「外向きに（ｏｕｔｗａｒｄｌｙ）」という言葉は、それぞれ、記載された物体の幾何学的中心およびその指定された部分に向かう方向および離れる方向を指す。この用語には、上で具体的に言及された単語、その派生語、および同様の意味の単語が含まれる。さらに、本明細書または添付の特許請求の範囲で使用される順序の指定、「第１（ｆｉｒｓｔ）」、「第２（ｓｅｃｏｎｄ）」、「第３（ｔｈｉｒｄ）」など、は、別個の複数の同様の要素を区別することをもっぱら目的とし（例えば、第１の樹脂含浸紙層および第２の樹脂含浸紙層）、特に文脈によって必要とされない限り、特定の順序も空間的限定も導入しない。
【手続補正３】
【補正対象書類名】明細書
【補正対象項目名】００１９
【補正方法】変更
【補正の内容】
【００１９】
本発明の様々な実施形態は、装飾多層表面材に関し、この表面材は、好ましくは一緒に積層された２層以上の樹脂含浸紙層を含む。本発明の様々な実施形態において、表面材は、導電材料が間に配置された第１の樹脂含浸紙層および第２の樹脂含浸紙層を含む。第１の樹脂含浸紙層および第２の樹脂含浸紙層など、本発明の様々な実施形態による樹脂含浸紙層に使用できる適切な紙は、限定しないが、セルロース繊維、合成織物または不織繊維、および／またはマイクロファイバーおよび／またはナノファイバー、セルロースおよび／または合成繊維の混合物をベースにした紙、および／または鉱物繊維ベース紙および／またはガラス繊維ベース紙であって、装飾積層物の製造に一般的に使用できるコーティングされているまたはされていない、予備含浸されているまたはされていないものを含む。本発明の様々な実施形態において、樹脂含浸紙層で使用するのに適した紙は、以下の特性の少なくとも１つ、好ましくは全てを有する：国際規格ＤＩＮ  ＩＳＯ  ３７８１の試験方法に準拠する１４００ｃＮ／３０ｍｍの機械方向の最小湿潤強度、国際規格ＤＩＮ  ＩＳＯ  ８７８７の試験方法に準拠する３０〜９０ｍｍ／１０ｍｉｎの機械方向のＫｌｅｍｍ吸水度範囲（毛細管上昇）（４５ｍｍ／１０ｍｉｎの吸水度が好ましい）、国際規格Ｄｉｎ  ＩＳＯ  ２１４４の試験方法に準拠して使用される紙の固有の性質に依存する０〜５０％の灰含量、国際規格ＤＩＮ  ＩＳＯ  ５３６の試験方法に準拠する２〜８％の水分含有量範囲時の１０〜１００ｇ／ｍ２の坪量範囲（２７ｇ／ｍ２の坪量が好ましい）、国際規格ＤＩＮ  ＩＳＯ６５８８の試験方法に準拠する４〜９のｐＨ（高温抽出時）。本発明の様々な好ましい実施形態において、樹脂含浸紙層に使用するのに適した紙は、前述の特性パラメータの全てを満たす１００％セルロース紙を含む。
【手続補正４】
【補正対象書類名】明細書
【補正対象項目名】００３４
【補正方法】変更
【補正の内容】
【００３４】
図５ａおよび図５ｂを参照すると、本発明のある実施形態による表面材５０１の断面図が示されており、ここでは、本明細書に記載されるマスキング技術および開口による導電材料の導電接続が組み合わされている。図５ａに示されるように、第１の導電材料５５１および第２の導電材料５５２が第１の樹脂含浸紙層５１０の導電インク飽和部分５８０によって伝導的に接続されている（図３ｃに示されるような）第１の樹脂含浸紙層５１０が、第３の導電材料５５３および第４の導電材料５５４が第２の樹脂含浸紙層５１１の導電インク飽和部分５８１によって伝導的に接続されている第２の樹脂含浸紙層５１１と積層された関係で配置され、第３の樹脂含浸紙層５２０が第１および第２の樹脂含浸紙層５１０、５１１の間に介在される。第３の樹脂含浸紙層５２０は、第２および第３の導電材料５５２、５５３の一部と位置合わせされるように配置された開口５７０を有することができる。第４の樹脂含浸紙層５４０および第５の樹脂含浸紙層５４１は、それぞれ第１および第４の導電材料５５１、５５４に隣接して積層された関係で配置される。図５ｂを参照すると、図５ａに示される積層された層は、第２の導電材料５５２および第３の導電材料５５３が開口５７０の位置に物理的な電気的接続５８２を形成するように、大きなブロック矢印によって図に示されるように好ましくは熱および圧力で圧縮される。
【手続補正５】
【補正対象書類名】明細書
【補正対象項目名】００３７
【補正方法】変更
【補正の内容】
【００３７】
本発明の様々な実施形態による装飾多層表面材は、１つ以上の強化層（Ｅｎｈａｎｃｅｍｅｎｔ  ｌａｙｅｒｓ）をさらに含むことができる。本発明の様々な実施形態に含めることができる強化層は、好ましくは熱硬化性樹脂である樹脂に分散された軟磁性材料を含む。本発明で使用される紙層の含浸に使用するのに適した種々の熱硬化性樹脂は、軟磁性材料の分散および強化層の形成に好適に使用することができる。本発明の様々な実施形態では、導電材料と、隣接する樹脂含浸紙層との間に強化層を配置することができる。追加的または代替的に、強化層は、２つの導電材料の間に介在する分離層として組み込むことができる。したがって、例えば、本発明の様々な実施形態において、その表面に配置された導電材料を有する樹脂含浸紙層を、第１の導電材料に面するその表面に配置された第２の導電材料を有する別の第２の樹脂含浸紙層と積層された関係で配置することができ、ここで第１の導電材料と第２の導電材料との間に強化層が介在されている。さらに、そのような実施形態では、第１および第２の導電材料間に導電接続を提供するために、強化層に開口を設けることができる。本発明の様々な好ましい実施形態では、装飾多層表面材は、図３ａ〜３ｃに示されるように調製された複数の樹脂含浸紙層を、隣接する導電材料間に介在された強化層と積層された関係で含むことができ、例えばそこでは、図４に示される第２の樹脂含浸紙層４２０と第３の樹脂含浸紙層４４０の両方またはどちらかが強化層によって置き換えられているか、強化層をさらに含む。このような好ましい実施形態では、強化層は、隣接する導電材料間の導電接続を提供するための開口をさらに含み得る。本発明の様々な実施形態は、樹脂含浸紙層の代わりにまたはそれに加えて、導電接続および強化層の組み合わせをさらに含むことができる。例えば、本発明の様々な実施形態は、図５ａ〜図５ｂに示されるような多層表面材を含み、その際、第２、第３および／または第４の樹脂含浸紙層５２０、５４０、５４１のうちの１つ以上が強化層によって置き換えられているか、または強化層をさらに含む。本発明の特定の特に好ましい実施形態では、図３ａ〜３ｃに示すように調製された３〜６つの樹脂含浸紙層が、隣接する導電材料のそれぞれの間に配置された強化層と積層された関係で提供され、６〜１２個の導電材料が伝導的に直列に接続されるように各強化層には開口がある。
【手続補正６】
【補正対象書類名】明細書
【補正対象項目名】００４６
【補正方法】変更
【補正の内容】
【００４６】
本発明による表面材の作製方法の様々な好ましい実施形態において、高圧積層プロセスが採用される。このような様々な好ましい実施形態によれば、前述の実施形態のいずれかによる多層を、２つのプレスプレートの間に積層された関係で配置する。次にプレートを少なくとも１０００ｐｓｉの特定の圧力までプレスする。次に温度を１４０℃以下に上げることができる。次にプレートを、樹脂を硬化させるのに適した時間、高圧および高温で保持する。次に高圧を維持しながら温度を４０℃以下に下げる。４０℃以下の温度に達すると、プレート上の圧力をゼロゲージ圧まで下げる。